(57)【要約】【課題】メダルセレクターがセレクターブラケットから不正に取り外されるのを困難とし、スロットマシンの内部の装置への不正アクセスを効果的に防止する。【解決手段】スロットマシン10において、メダルセレクター43又はセレクターブラケット70の一方に複数のセレクター係止部79を設け、他方の各セレクター係止部79と対応する位置にはセレクター被係止部61を設け、各セレクター係止部79ごとにセレクター被係止部61との係止及び係止の解除が可能となるように形成し、全てのセレクター係止部79がセレクター被係止部61に係止されることでメダルセレクター43がセレクターブラケット70に取り付けられ、全てのセレクター係止部79とセレクター被係止部61との係止が解除されることでメダルセレクター43がセレクターブラケット70から取り外されるように形成する。【選択図】図５
2013215434.tif 000002
【特許請求の範囲】
【請求項１】
正面側に開口を有する箱型の筐体と、
筐体の開口を開塞可能な前扉と、
前扉の所定位置に設けられるメダル投入口と、
メダル投入口から投入された遊技メダルの選別を行うものであって前扉の裏面におけるメダル投入口と対応する位置に設けられるメダルセレクターと、
メダルセレクターを前扉の裏面に着脱可能に取り付けるためのセレクターブラケットと、を備えたスロットマシンであって、
メダルセレクター又はセレクターブラケットのいずれか一方には、メダルセレクターをセレクターブラケットに取り付けるための複数のセレクター係止部が設けられ、
メダルセレクター又はセレクターブラケットにいずれか他方における、各セレクター係止部と対応する位置には、それぞれセレクター被係止部が設けられ、
各セレクター係止部ごとに、対応するセレクター被係止部との係止及び係止の解除が可能となるように形成されているとともに、
全てのセレクター係止部が対応するセレクター被係止部に係止されることにより、メダルセレクターがセレクターブラケットに取り付けられ、全てのセレクター係止部とセレクター被係止部との係止が解除されることにより、メダルセレクターがセレクターブラケットから取り外されるように形成されていることを特徴とするスロットマシン。
【請求項２】
前記スロットマシンは、
セレクターブラケットに複数のセレクター係止部が設けられ、かつ、メダルセレクターにおける各セレクター係止部と対応する位置に、それぞれセレクター被係止部が設けられており、
メダルセレクターは、所定の接続ケーブルにより、スロットマシンが備える他の装置に接続可能となっているとともに、
一のセレクター係止部と、当該セレクター係止部と隣接するセレクター係止部との間には、メダルセレクターがセレクターブラケットに取り付けられた状態において、メダルセレクターからの接続ケーブルを挿通可能な挿通間隙が形成されており、
接続ケーブルは、挿通間隙を介してセレクターブラケットの外側に挿通した状態で、スロットマシンが備える他の装置に接続可能となっていることを特徴とする請求項１記載のスロットマシン。
【発明の詳細な説明】
【技術分野】
【０００１】
この発明は、スロットマシンに関し、詳しくは、メダル投入口から投入された遊技メダルを選別するメダルセレクターを前扉に取り付け可能に形成されたスロットマシンに関する。
【背景技術】
【０００２】
従来、この種のスロットマシンとしては、遊技に使用される遊技媒体として遊技メダルを用いるものが知られている。このようなスロットマシンにおいては、前扉の所定位置に、遊技メダルを投入するためのメダル投入口が設けられるとともに、筐体に、メダル投入口から投入された遊技メダルを貯留するとともに遊技の結果等に応じて貯留されている遊技メダルを排出するためのホッパー装置、ホッパー装置から排出される遊技メダルをメダル受け皿に払い出すためのメダル払出口、及び、メダル投入口から投入された遊技メダルをホッパー装置若しくはメダル払出口まで導くメダル通路等が備えられている。
また、前扉の裏面におけるメダル投入口に対応する位置には、メダル投入口から投入された遊技メダルが正規のものであるか否かの選別を行うためのメダルセレクターが設けられている。換言すれば、このメダルセレクターは、メダル投入口とホッパー装置との間に位置するようになっている。そのため、メダル投入口から不正な器具等を挿入して、筐体内部に設けられているホッパー装置等に不正にアクセスしようとしても、筐体内部への不正な器具等の進入がメダルセレクターにより妨げられることとなる。すなわち、メダルセレクターは、スロットマシンの外部から、スロットマシンの内部の装置に不正にアクセスされるのを妨げる役目も果たしている。
【０００３】
このようなスロットマシンは、下記の特許文献１に開示されている。
【先行技術文献】
【特許文献】
【０００４】
【特許文献１】特開２０１０−２５３１３９号公報
【発明の概要】
【発明が解決しようとする課題】
【０００５】
上述のメダルセレクターは、セレクターブラケットを介して、前扉の裏面に着脱可能に取り付けられるようになっている。具体的には、セレクターブラケットに設けられた係止部が、セレクターに設けられた被係止部に係止することで、メダルセレクターがセレクターブラケット内に固定される。
また、上述のメダルセレクターは、ハーネス等の接続ケーブルにより、電源を供給するための電源装置やスロットマシンの制御を行うための制御装置等と接続されるようになっている。
ここで、上述の接続ケーブルは、メダルセレクターがセレクターブラケット内に取り付けられた状態で、メダルセレクターとセレクターブラケットとの間に生じる隙間を介して、上述の装置と接続されるようになっている。したがって、接続ケーブルを引っ張ると、その力がセレクターブラケットに設けられた係止部に直接的に加わることとなり、比較的容易に係止部と被係止部との係止が解除されることとなる。そのため、たとえば、メダル投入口から不正な器具を挿入して上述の接続ケーブルを引っ張ることにより、係止部と被係止部との係止が解除され、メダルセレクターがセレクターブラケットから取り外されてしまうというおそれが生じていた。そして、メダルセレクターがセレクターブラケットから取り外されると、メダル投入口からホッパー装置等までの空間を妨げるものが無くなるため、ホッパー装置等のスロットマシンの内部の装置に不正にアクセスされてしまうというおそれも生じていた。
【０００６】
そこで、下記の発明は、上記した事情によりなされたものであり、メダルセレクターがセレクターブラケットから不正に取り外されるのを困難なものとし、ひいては、スロットマシンの内部の装置に不正にアクセスされるのを効果的に防止可能なスロットマシンを提供することを目的とする。
【課題を解決するための手段】
【０００７】
下記の発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
（第１の発明）
第１の発明は、正面側に開口20aを有する箱型の筐体20と、筐体20の開口20aを開塞可能な前扉30と、前扉30の所定位置に設けられるメダル投入口44と、メダル投入口44から投入された遊技メダルの選別を行うものであって前扉30の裏面におけるメダル投入口44と対応する位置に設けられるメダルセレクター43と、メダルセレクター43を前扉30の裏面に着脱可能に取り付けるためのセレクターブラケット70と、を備えたスロットマシン10であって、メダルセレクター43又はセレクターブラケット70のいずれか一方には、メダルセレクター43をセレクターブラケット70に取り付けるための複数のセレクター係止部79（固定爪部79a）が設けられ、メダルセレクター43又はセレクターブラケット70にいずれか他方における、各セレクター係止部79と対応する位置には、それぞれセレクター被係止部61が設けられ、各セレクター係止部79ごとに、対応するセレクター被係止部61との係止及び係止の解除が可能となるように形成されているとともに、全てのセレクター係止部79が対応するセレクター被係止部61に係止されることにより、メダルセレクター43がセレクターブラケット70に取り付けられ、全てのセレクター係止部79とセレクター被係止部61との係止が解除されることにより、メダルセレクター43がセレクターブラケット70から取り外されるように形成されていることを特徴とする。
【０００８】
セレクター係止部79及びセレクター被係止部61は、メダルセレクター43をセレクターブラケット70に取り付けるためのものであり、具体的には、セレクター係止部79がセレクター被係止部61に係止することで、メダルセレクター43がセレクターブラケット70に取り付けられることとなる。
より具体的には、たとえば、セレクター係止部79として、係止爪や係止突起を設けるとともに、セレクター被係止部61として、これらの係止爪や係止突起が引っ掛かる係止穴や係止溝を設けることができる。すなわち、セレクター係止部79としての係止爪や係止突起が、セレクター被係止部61としての係止穴や係止溝に引っ掛かることで、セレクター係止部79がセレクター被係止部61に係止され、メダルセレクター43がセレクターブラケット70に取り付けられることとなる。なお、セレクター係止部79及びセレクター被係止部61は、セレクター係止部79がセレクター被係止部61に係止可能な構成となっていれば、上述のものに限定されず、種々の公知の構成を採用することができる。
【０００９】
また、本発明に係るスロットマシン10では、メダルセレクター43又はセレクターブラケット70のいずれか一方にセレクター係止部79が設けられ、メダルセレクター43又はセレクターブラケット70のいずれか他方にセレクター被係止部61が設けられるようになっている。換言すれば、本発明に係るスロットマシン10では、メダルセレクター43にセレクター係止部79を設ける場合には、セレクターブラケット70にセレクター被係止部61が設けられることとなる。また、メダルセレクター43にセレクター被係止部61を設ける場合には、セレクターブラケット70にセレクター係止部79が設けられることとなる。
また、本発明に係るスロットマシン10は、複数のセレクター係止部79と、各セレクター係止部79に対応するセレクター被係止部61とを備えており、各セレクター係止部79ごとに、対応するセレクター被係止部61との係止及び係止の解除が可能となるように形成されている。すなわち、本発明に係るスロットマシン10では、複数のセレクター係止部79がそれぞれ独立して、対応するセレクター被係止部61との係止及び係止の解除を行えるようになっている。
【００１０】
具体的には、たとえば、コ字状に形成された板部材において、コ字状の二股部分を構成する２つの脚部の先端に係止爪を設けることで、この２つの係止爪をそれぞれセレクター係止部79として形成するとともに、この板部材をセレクターブラケット70の所定位置に取り付ける。また、メダルセレクター43をセレクターブラケット70に取り付けた状態で、メダルセレクター43における、上述のセレクター係止部79としての２つの係止爪のそれぞれと対応する位置に、係止爪が引っ掛かることが可能なセレクター被係止部61としての係止穴を形成する。これにより、セレクター係止部79としての係止爪がそれぞれ独立して、セレクター被係止部61としての係止穴に係止可能となるとともに、それぞれ独立して、係止を解除可能となる。なお、セレクター係止部79及びセレクター被係止部61は、それぞれのセレクター係止部79が独立してセレクター被係止部61に係止可能及び係止を解除可能な構成となっていれば、上述の構成に限定されるものではない。
【００１１】
（作用・効果）
本発明に係るスロットマシン10においては、メダルセレクター43が、セレクターブラケット70により前扉30の裏面に着脱可能に取り付けられる。また、メダルセレクター43又はセレクターブラケット70のいずれか一方に、複数のセレクター係止部79が設けられ、他方における、各セレクター係止部79と対応する位置に、それぞれセレクター被係止部61が設けられており、各セレクター係止部79ごとに、対応するセレクター被係止部61との係止及び係止の解除が可能となっている。そして、全てのセレクター係止部79が対応するセレクター被係止部61に係止されることにより、メダルセレクター43がセレクターブラケット70に取り付けられ、全てのセレクター係止部79とセレクター被係止部61との係止が解除されることにより、メダルセレクター43がセレクターブラケット70から取り外されることとなる。
【００１２】
すなわち、本発明に係るスロットマシン10において、セレクターブラケット70に取り付けられたメダルセレクター43を取り外すには、各セレクター係止部79ごとに別個独立にセレクター被係止部61との係止を解除し、全てのセレクター係止部79についての係止を解除しなければならない。
したがって、本発明に係るスロットマシン10によれば、メダルセレクター43がセレクターブラケット70から不正に取り外されるのを困難なものとし、スロットマシン10の内部の装置に不正にアクセスされるのを効果的に防止することができるのである。
（第２の発明）
第２の発明は、上記した第１の発明の特徴に加え、前記スロットマシン10は、セレクターブラケット70に複数のセレクター係止部79が設けられ、かつ、メダルセレクター43における各セレクター係止部79と対応する位置に、それぞれセレクター被係止部61が設けられており、メダルセレクター43は、所定の接続ケーブル（ハーネス91）により、スロットマシン10が備える他の装置に接続可能となっているとともに、一のセレクター係止部79と、当該セレクター係止部79と隣接するセレクター係止部79との間には、メダルセレクター43がセレクターブラケット70に取り付けられた状態において、メダルセレクター43からの接続ケーブルを挿通可能な挿通間隙80が形成されており、接続ケーブルは、挿通間隙80を介してセレクターブラケット70の外側に挿通した状態で、スロットマシン10が備える他の装置に接続可能となっていることを特徴とする。
【００１３】
前記挿通間隙80は、一のセレクター係止部79と、当該セレクター係止部79と隣接するセレクター係止部79との間に形成された間隙であって、メダルセレクター43がセレクターブラケット70に取り付けられた状態において、メダルセレクター43からの接続ケーブルを挿通可能なものである。
具体的には、たとえば、上述のように、断面コ字状に形成された板部材において、コ字状の二股部分を構成する２つの脚部の先端に係止爪を設けることで、この２つの係止爪をそれぞれセレクター係止部79として形成した場合には、セレクター係止部79として形成した２つの係止爪に挟まれた空間（すなわち、２つの脚部に挟まれた空間）を挿通間隙80とすることができる。
【００１４】
（作用・効果）
本発明に係るスロットマシン10においては、一のセレクター係止部79と、当該セレクター係止部79と隣接するセレクター係止部79との間に形成された挿通間隙80から、メダルセレクター43からの接続ケーブルが挿通される。そして、当該接続ケーブルは、挿通間隙80を介してセレクターブラケット70の外側に挿通した状態で、スロットマシン10が備える他の装置に接続されることとなる。
すなわち、本発明に係るスロットマシン10によれば、メダルセレクター43からの接続ケーブルは、隣接する２つのセレクター係止部70の間の挿通間隙80を介してセレクターブラケット70の外側に挿通されてから、スロットマシン10が備える他の装置に接続される。したがって、接続ケーブルを引っ張っても、その力は２つのセレクター係止部70に分散されて伝わることとなるため、各セレクター係止部70にかかる力は小さくなり、セレクター係止部79とセレクター被係止部61との係止の解除は困難なものとなる。
【００１５】
したがって、本発明に係るスロットマシン10によれば、メダルセレクター43がセレクターブラケット70から不正に取り外されるのをより困難なものとし、スロットマシン10の内部の装置に不正にアクセスされるのを効果的に防止することができるのである。
【発明の効果】
【００１６】
本発明は、以上のように構成されているので、以下に記載されるような効果を奏する。
すなわち、本発明によれば、メダルセレクターがセレクターブラケットから不正に取り外されるのを困難なものとし、ひいては、スロットマシンの内部の装置に不正にアクセスされるのを効果的に防止可能なスロットマシンを提供することができる。
【図面の簡単な説明】
【００１７】
【図１】本発明の実施の形態であって、スロットマシンの外観を示す正面図である。
【図２】本発明の実施の形態であって、スロットマシンの前扉を開放した状態をを示す正面図である。
【図３】本発明の実施の形態であって、メダルセレクターの外観を示す斜視図である。
【図４】本発明の実施の形態であって、セレクターブラケットを分解した状態を示す斜視図である。
【図５】本発明の実施の形態であって、メダルセレクター及びその近傍に配置される装置が前扉に取り付けられる際の位置関係を示す斜視図である。
【発明を実施するための形態】
【００１８】
以下、本発明を実施するための形態を図面を参照しつつ説明する。
なお、本形態において、「正面」とは、スロットマシン10における、遊技者が遊技を行う際に向き合う面をいう。また、「右側」とは、スロットマシン10の正面に向き合う遊技者から見て右側を意味し、「左側」とは、スロットマシン10の正面に向き合う遊技者から見て左側を意味する。
（スロットマシン10）
本形態に係る遊技機は、遊技媒体として円板状の遊技メダルを使用するスロットマシン10である。
【００１９】
このスロットマシン10は、図２に示すように、正面側（スロットマシン10から見て、スロットマシン10と対向する遊技者の方向）に開口20aを有する箱状の筐体20を備えている。また、図１及び図２に示すように、筐体20の正面には、開口20aを開塞自在な前扉30を備えている。この前扉30は、筐体20の左端部にヒンジ31により取り付けられており、この部分を軸として前後方向に回転自在なものとなっている。
（筐体20）
筐体20には、図２に示すように、高さ方向の中央付近に、この筐体20の内部空間を上下２つの空間に仕切る中板26が設けられている。
【００２０】
そして、この筐体20における、中板26の上側の空間には、主にスロットマシン10の作動を制御するためのメイン基板を収納する基板ユニット29a、３個の回転リール25を横並びに設けたリールユニット21等を備えている。なお、この筐体20における、中板26の上側の空間には、これらの装置以外の装置を備えることもできる。
また、この筐体20における、中板26の下側の空間には、スロットマシン10に備えられた各種装置に電力を供給するための電源装置28や、遊技メダルを貯留するとともに役の入賞時等に遊技メダルを払い出すためのホッパー装置27、ホッパー装置27に隣接して設けられているとともにホッパー装置27から溢れた遊技メダルを貯留するためのオーバーフロータンク46等を備えている。なお、この筐体20における、中板26の下側の空間には、これら以外の装置や部材等も備えることもできる。
【００２１】
（前扉30）
前扉30の正面略中央には、図１に示すように、長方形状のプラスチック板により構成される上部パネル32aが設けられており、この上部パネル32aに、筐体20の内部に設けられた各回転リール25の周囲に付されている図柄を見ることができる表示窓34が形成されている。この表示窓34は、各回転リール25の前方に位置しており、３個全ての回転リール25が停止した際には、縦３列横３列に配列した合計９個の図柄を見ることができるように形成されている。
また、上部パネル32aの上方には、図１に示すように、画像や文字を表示することで各種演出を行う液晶表示装置53が設けられている。また、図１に示すように、この液晶表示装置53の上部及び左右両側部には、遊技状態に応じて点灯したり、消灯したりすることで各種演出を行うランプ52が設けられており、また、前扉30の前面左右両側端部には、サイドランプ55が設けられている。
【００２２】
また、上部パネル32aの下方であって、前扉30の正面中央には、図１に示すように、前扉30の正面から前方へ向けて突出するカウンター状の操作部33が設けられている。
この操作部33の上面右側には、遊技メダルを投入するためのメダル投入口44が設けられている。また、操作部33の上面左側には、スロットマシン10に電子的に貯留されているクレジットメダルを１枚ベットするためのシングルベットスイッチ36a、及び、クレジットメダルを１回の遊技につき投入可能な最大枚数分（たとえば、３枚）ベットするためのマックスベットスイッチ36bが横並びに設けられている。また、操作部33の上面中央には、演出の進行等に用いられ、所定のタイミングで操作することにより液晶表示装置53等で実行されている演出の表示内容を切り替えることが可能な演出スイッチ39が設けられている。
【００２３】
また、操作部33の前面左側には、図１に示すように、３個の回転リール25全ての回転を開始させるためのレバー状のスタートスイッチ37が設けられている。また、操作部33の前面中央には、各回転リール25に対応するとともに、各回転リール25の回転をそれぞれ別個に停止させるための３個のストップスイッチ38が横並びに設けられている。また、操作部33の前面右端部には、前扉30を解錠するための鍵穴42が設けられている。
また、操作部33の下方には、図１に示すように、正面側に遊技機のイメージキャラクターや機種名等の所定の情報を表示する下部パネル32bが設けられている。
また、前扉30の下部中央には、図１に示すように、ホッパー装置27からの遊技メダルの払い出し、又は、メダル投入口44から投入された遊技メダルの返却を行うためのメダル払出口40が設けられ、また、メダル払出口40の左右両側には、音声や効果音等を出力するためのスピーカー54がそれぞれ１つずつ設けられている。また、メダル払出口40の下方には、メダル払出口40から払い出された遊技メダルを貯めておくことができるメダル受け皿41が設けられている。
【００２４】
また、前扉30の裏面における、液晶表示装置53に対応する位置には、図２に示すように、主にスロットマシン10の演出を制御するためのサブ基板を収納するサブ基板ユニット29bが設けられている。
また、前扉30の裏面における、メダル投入口44に対応する位置、より具体的には、メダル投入口44の後下方に相当する位置には、図２に示すように、メダル投入口44から投入された遊技メダルが正規のものであるか否かの選別を行うためのメダルセレクター43が取り付けられている。また、前扉30の裏面における、メダルセレクター43からメダル払出口40にかけての位置には、前扉30の裏面に沿うようにして、メダルシュート45が設けられている。このメダルシュート45は、メダルセレクター43により正規のものでないとして排除された遊技メダルを受け入れてメダル払出口40まで誘導するメダル返却通路を形成するためのものである。
【００２５】
（メダル投入口44）
メダル投入口44は、上述の如く、遊技を行うに際し遊技メダルを投入するところであって、前扉30の所定位置、具体的には、操作部33の上面右側に設けられている（図１参照）。このメダル投入口44には、遊技メダルを通過させることが可能な内寸のスリット（特に図示しておらず）が、その上部から下部まで至るように形成されている。そして、スリットの上側が、受入口として開口するとともに、スリットの下側が、排出口として開口している。これにより、受入口に投入された遊技メダルがスリットを通過して排出口から排出されるようになっている。
【００２６】
（メダルセレクター43）
メダルセレクター43は、上述の如く、メダル投入口44から投入された遊技メダルが正規のものであるか否かの選別を行うためのものであって、前扉30の裏面における、メダル投入口44に対応する位置、より具体的には、メダル投入口44の下方に相当する位置に取り付けられている（図２参照）。
メダルセレクター43は、図３に示すように、箱形のセレクターケース57と、セレクターケース57を背面側から覆うように、このセレクターケース57に取り付けられたセレクターカバー58とを備えている。このメダルセレクター50は、セレクターケース57とセレクターカバー58とにより、外形が四角箱型に見えるようになっている。
【００２７】
また、メダルセレクター43の上面右側には、図３に示すように、メダル投入口44から投入された遊技メダルを受け入れるメダル入口59が設けられており、メダルセレクター43を所定の取付位置に取り付けると、メダル投入口44の排出口とメダルセレクター43のメダル入口59とが合致する。これにより、メダル投入口44の受入口から投入された遊技メダルがメダルセレクター43内へスムーズに流れるようになっている。また、メダルセレクター43の左側面下側には、ホッパー装置27方向へ向けて遊技メダルを排出するためのメダル出口60が設けられている。
また、メダルセレクター43の内部には、特に図示していないが、メダル入口からメダル出口まで至るメダル案内通路が形成されている。このメダル案内通路は、特に図示していないが、「く」の字あるいは「Ｌ」の字のように途中で屈曲した形状に形成されており、メダル入口からほぼ鉛直下方へ向かう鉛直通路と、鉛直通路の下端から斜め下方へ向けて緩やかに傾斜する傾斜通路とからなる。そして、傾斜通路の上流側には、特に図示していないが、正規の遊技メダルよりも直径や厚さが小さい遊技メダルをメダル案内通路から排除する選別手段が設けられている。また、傾斜通路の中間部には、特に図示していなが、遊技メダルの投入不可状態において、正規の遊技メダルをメダル案内通路から強制的に排除する排除手段が設けられている。また、傾斜通路の下流側には、特に図示していないが、遊技メダルの通過を検出するための検出手段が設けられている。そして、この検出手段により、傾斜通路を流下してきた遊技メダルが検出されると、当該遊技メダルが遊技に使用可能な遊技メダルとしてカウントされ、さらには、メダル出口から排出されてホッパー装置27へ至るようになっている。
【００２８】
また、メダルセレクター43の右側面には、特に図示していないが、右方向へ向けて突出する円柱状の突起である固定突起62が、上下方向に所定間隔をおいてそれぞれ１つずつ設けられている。
また、メダルセレクター43の左側面には、図３に示すように、左方向へ向けて突出する円柱状の突起である固定突起62が、上下方向に所定間隔をおいてそれぞれ１つずつ設けられている。また、メダルセレクター43の左側面における上端部の所定箇所には、後述するセレクターブラケット70における２つの脚部78bのそれぞれに設けられた、セレクター係止部79としての固定爪部79aが引っ掛かるようになっている。すなわち、本形態に係るスロットマシン10では、メダルセレクター43の左側面における上端部が、セレクター係止部79と係止するセレクター被係止部61に相当するものとなっている。
【００２９】
また、メダルセレクター43の左側面には、図３及び図５に示すように、このメダルセレクター43を前扉30の裏面に備えられた中継基板（特に図示しておらず）に電気的に接続するための接続ケーブルとしてのハーネス91が設けられている。
（セレクターブラケット70）
セレクターブラケット70は、図４及び図５に示すように、メダルセレクター43を前扉30の裏面の所定位置に着脱可能に取り付けるためのものである。
このセレクターブラケット70は、図４に示すように、前扉30の裏面の所定位置に固定される板状部材である固定部71と、固定部71の右端から後方へ向けて突出する板状部材である第１突出片72と、固定部71の左端から後方へ向けて突出する板状部材である第２突出片73と、固定部71の左端下部から左方向へ向けて突出するフランジ状のメダル流路形成部材固定部75と、メダル流路形成部材固定部75の略中央にビスで固定されるメダル流路形成部材77と、第２突出片73の略中央にビスで固定され、かつ後方へ向けて突出する板状部材である係止板78と、を有している。
【００３０】
（固定部71）
固定部71の中央には、図４に示すように、当該固定部71の表面にＵ字状のに切り欠きを形成し、この切り欠きで囲まれた部分を正面方向に突出させた前扉固定部74が２つ並んで設けられている。また、これらの前扉固定部74の中央にはそれぞれ、ビス固定孔が設けられている。そして、この固定部71は、前扉30の裏面の所定位置、具体的には、メダル投入口44の下方に相当する位置に、ビスで固定されるようになっている。
（第１突出片72、第２突出片73）
第１突出片72には、図４に示すように、メダルセレクター43の右側面に設けられた各固定突起62と対応する位置に、各固定突起62が嵌入するように形成された固定突起挿入孔76aがそれぞれ設けられている。すなわち、メダルセレクター43がセレクターブラケット70に取り付けられる際、メダルセレクター43の右側面に設けられた各固定突起62が、対応する固定突起挿入孔76aに嵌入するようになっている。
【００３１】
また、第２突出片73には、図４に示すように、メダルセレクター43の左側面に設けられた各固定突起62と対応する位置に、各固定突起62が嵌まるように形成された切り欠き76bがそれぞれ設けられている。すなわち、メダルセレクター43がセレクターブラケット70に取り付けられる際、メダルセレクター43の左側面に設けられた各固定突起62が、対応する切り欠き76bに嵌まるようになっている。
また、このセレクターブラケット70における第１突出片72と第２突出片73との間隔は、セレクターケース57の両側面の間隔とほぼ等しくなっている。
（メダル流路形成部材77）
メダル流路形成部材77は、図４及び図５に示すように、断面Ｊ字状の樋状部材である。そして、このメダル流路形成部材77がメダル流路形成部材固定部75にビスで固定されると、メダル流路形成部材77の一端が、メダルセレクター43のメダル出口60に位置し、他端が、ホッパー装置27に設けられた開口部（特に図示しておらず）の上方に位置するようになっている。これにより、メダル出口60から排出された遊技メダルは、このメダル流路形成部材77に案内されてホッパー装置27内に落下することとなる。
【００３２】
（係止板78）
係止板78は、図４及び図５に示すように、略方形状の板部材であって第２突出片73にビスで固定される基部78aと、基部78aが第２突出片73に固定された状態でこの基部78aにおける背面側の端面から背面方向に突出するように形成され、所定の間隔をおいて配置される２つの脚部78bと、各脚部78bの突出端に設けられる、セレクター係止部79としての固定爪部79aと、を有している。
また、本形態では、メダルセレクター43がセレクターブラケット70に取り付けられた際、メダルセレクター43の左側面から伸びるハーネス91が、２つの脚部78bの間（すなわち、隣接するセレクター係止部79としての固定爪部79aの間）に挿通されるようになっている。すなわち、本形態では、隣接するセレクター係止部79としての固定爪部79bの間には、接続ケーブルとしてのハーネス91が挿通可能な挿通間隙80が設けられることとなっている。
【００３３】
また、本形態では、２つの脚部78bはいずれも、可撓性を有しており、それぞれ別個独立に左方向へ撓ませることができるようになっている。また、基部78aが第２突出片73に固定されると、２つの脚部78bに設けられた固定爪部79bがそれぞれ、第２突出片73に形成された各切り欠き76bの上方に位置するようになっている。すなわち、２つの脚部78bに外力を加えていない状態では、固定爪部79bがそれぞれ、各切り欠き76bを塞いでいる。そして、脚部78bをそれぞれ左方向へ撓ませると、その下方に位置する各切り欠き76bが開放されることとなる。
そして、メダルセレクター43の右側面における固定突起62を、セレクターブラケット70の第１突出片72における固定突起挿入孔76aに嵌入させ、かつメダルセレクター43の左側面における固定突起62を、セレクターブラケット70の第２突出片73における切り欠き76bに嵌めるとともに、セレクター係止部79としての、セレクターブラケット70における係止板78の２つの固定爪部79aをいずれも、セレクター被係止部61としての、メダルセレクター43における左側面の上端部に係止させる（引っ掛ける）と、メダルセレクター43がセレクターブラケット70に取り付けられ、ひいては前扉30の裏面の所定位置（メダル投入口44の下方に相当する位置）に取り付けられることとなる。
【００３４】
（メダルセレクター43のセレクターブラケット70への取り付け及び取り外しの方法）
以下、メダルセレクター43のセレクターブラケット70への取り付け、及び、メダルセレクター43のセレクターブラケット70からの取り外しについて説明する。
まず、メダルセレクター43の右側面における各固定突起62を、セレクターブラケット70の第１突出片72における固定突起挿入孔76aにそれぞれ嵌め入れる。次に、セレクターブラケット70の第２突出片73に固定されている係止板78における２つの脚部78bをそれぞれ、左方向へ変位させるように（すなわち、第１突出片72と、脚部78bとの間隔を押し広げるように）撓ませて、セレクターブラケット70の第２突出片73における切り欠き76bをそれぞれ開放し、この状態で、メダルセレクター43の右側面における各固定突起62を、切り欠き76bにそれぞれ嵌める。そして、係止板78における２つの脚部78bをそれぞれ元の状態に戻して、切り欠き76bをそれぞれ固定爪部79bで塞ぐ。すると、セレクター係止部79としての、セレクターブラケット70における係止板78の２つの固定爪部79aがいずれも、セレクター被係止部61としての、メダルセレクター43における左側面の上端部に係止される（引っ掛かかる）ため、メダルセレクター43がセレクターブラケット70に取り付けられ、ひいては前扉30の裏面の所定位置（メダル投入口44の下方に相当する位置）に取り付けられることとなる。
【００３５】
なお、メダルセレクター43がセレクターブラケット70に取り付けられた状態では、メダルセレクター43から伸びる接続ケーブルとしてのハーネス91は、隣接するセレクター係止部89としての２つの固定爪部79aの間に形成される挿通間隙80に挿通される。そして、このハーネス91は、この挿通間隙80を介してセレクターブラケット70の外側（すなわち、セレクターブラケット70の第２突出片73よりも右方）に挿通した状態で、中継基板（特に図示しておらず）に接続されることとなる。
また、メダルセレクター43をセレクターブラケット70に取り付けた状態で、セレクターブラケット70の第２突出片73に固定されている係止板78における２つの脚部78bをそれぞれ、左方向へ変位させるように（すなわち、第１突出片72と、脚部78bとの間隔を押し広げるように）撓ませて、セレクターブラケット70の第２突出片73における切り欠き76bをそれぞれ開放すると、メダルセレクター43の右側面における各固定突起62を、切り欠き76bから外すことができ、さらに、メダルセレクター43の右側面における各固定突起62を、セレクターブラケット70の第１突出片72における固定突起挿入孔76aから抜くことができる。これにより、メダルセレクター43を、セレクターブラケット70から取り外すことができ、ひいては前扉30の裏面の所定位置（メダル投入口44の下方に相当する位置）から取り外すことができる。
【００３６】
（まとめ）
本形態に係るスロットマシン10では、メダルセレクター43が、セレクターブラケット70により前扉30の裏面に着脱可能に取り付けられる。また、セレクターブラケット70に、セレクター係止部79としての固定爪部79aが２つ設けられており、メダルセレクター43には、セレクター被係止部61としての、セレクターケース57の左側面上端部が設けられている。また、各固定爪部79aごとに、セレクターケース57の左側面上端部との係止及び係止の解除が可能となっている。そして、全ての固定爪部79aがセレクターケース57の左側面上端部に係止されることにより、メダルセレクター43がセレクターブラケット70に取り付けられ、全ての固定爪部79aとセレクターケース57の左側面上端部との係止が解除されることにより、メダルセレクター43がセレクターブラケット70から取り外されることとなる。
【００３７】
すなわち、本形態に係るスロットマシン10において、セレクターブラケット70に取り付けられたメダルセレクター43を取り外すには、各固定爪部79aごとに別個独立にセレクターケース57の左側面上端部との係止を解除し、全ての固定爪部79aについての係止を解除しなければならない。
したがって、本形態に係るスロットマシン10によれば、メダルセレクター43がセレクターブラケット70から不正に取り外されるのを困難なものとし、スロットマシン10の内部の装置に不正にアクセスされるのを効果的に防止することができるのである。
また、本形態に係るスロットマシン10においては、隣接するセレクター係止部79としての、２つの脚部78bのそれぞれに設けられらた固定爪部79aの間に形成された挿通間隙80から、メダルセレクター43からの接続ケーブルとしてのハーネス91が挿通される。そして、当該ハーネス91は、挿通間隙80を介してセレクターブラケット70の外側（すなわち、第２突出片73の右方）に挿通した状態で、中継基板に接続されることとなる。
【００３８】
すなわち、本形態に係るスロットマシン10によれば、メダルセレクター43からのハーネス91は、隣接する２つの固定爪部79aの間の挿通間隙80を介してセレクターブラケット70の外側に挿通されてから、中継基板に接続される。したがって、ハーネス91を引っ張っても、その力は２つの固定爪部79aに分散されて伝わることとなるため、各固定爪部79aにかかる力は小さくなり、固定爪部79aとセレクターケース57の左側面上端部との係止の解除は困難なものとなる。
したがって、本形態に係るスロットマシン10によれば、メダルセレクター43がセレクターブラケット70から不正に取り外されるのをより困難なものとし、スロットマシン10の内部の装置に不正にアクセスされるのを効果的に防止することができるのである。
【００３９】
（変形例）
上述の形態においては、セレクターブラケット70にセレクター係止部79が設けられ、メダルセレクター43にセレクター被係止部61が設けられていたが、セレクターブラケット70にセレクター被係止部61を設け、メダルセレクター43にセレクター係止部79を設けてもよい。
また、上述の形態においては、セレクター係止部79としての複数の固定爪部79aは、基部78aを介して一体に（すなわち、一の部材として）形成されていたが、固定爪部79aは別体として（すなわち、複数の部材として）形成してもよい。
【００４０】
このように形成した場合であっても、上述の形態と同様の作用・効果を奏することとなる。
【符号の説明】
【００４１】
10  スロットマシン          20  筐体
20a 開口                    21  リールユニット
25  回転リール
26  中板                    27  ホッパー装置
28  電源装置                29a メイン基板ユニット
29b サブ基板ユニット        30  前扉
31  ヒンジ                  32a 上部パネル
32b 下部パネル              33  操作部
34  表示窓                  36a シングルベットスイッチ
36b マックスベットスイッチ  37  スタートスイッチ
38  ストップスイッチ        39  演出スイッチ
40  メダル払出口            41  メダル受け皿
42  鍵穴                    43  メダルセレクター
44  メダル投入口            45  メダルシュート
46  オーバーフロータンク    52  ランプ
53  液晶表示装置            54  スピーカー
55  サイドランプ            57  セレクターケース
58  セレクターカバー        59  メダル入口
60  メダル出口              61  セレクター被係止部
62  固定突起                70  セレクターブラケット
71  固定部                  72  第１突出片
73  第２突出片              74  前扉固定部
75  メダル流路形成部材固定部
76a 固定突起挿入孔          76b 切り欠き
77  メダル流路形成部材      78  係止板
78a 基部                    78b 脚部
79  セレクター係止部        79a 固定爪部
80  挿通間隙                91  ハーネス
【図１】
2013215434.tif 000003
【図２】
2013215434.tif 000004
【図３】
2013215434.tif 000005
【図４】
2013215434.tif 000006
【図５】
2013215434.tif 000007